(57)【特許請求の範囲】
【請求項１】
天井に差し込むための差込み用ピンと、その天井に当接する当接部を形成した本体とを有し、上記天井に掲示物を吊り下げるための吊下げ具において、
上記本体の当接部には、その本体を天井に位置決めするための複数本の位置決め用ピンの各基端部が互いに連結されて埋設されているとともに、
上記当接部の天井との当接面に対して差込み用ピンを傾斜させ、かつ、その天井に差し込み可能に保持するピン保持部が、その当接面であって本体の重心を通る中心軸線に一致する位置に一方の開口を形成したピン保持孔として形成されており、
上記差込み用ピンと位置決め用ピンとが平面視において重なり合わない位置に配設され、かつ、本体の下端部には、掲示物の荷重が当該中心軸線に一致して作用するように配した吊下げ部が一体的に形成されていることを特徴とする吊下げ具。
【請求項２】
本体には、使用していない差込み用ピンを収容しておくためのピン収容部が形成されていることを特徴とする請求項１に記載の吊下げ具。
【請求項３】
差込み用ピンは、摘みにピン部材の基端部を固着したものであり、ピン部材は、摘みを本体に当接させたときに天井に先端部の所要の長さ部分が差し込まれる全長にしていることを特徴とする請求項１又は２に記載の吊下げ具。
【発明の詳細な説明】
【技術分野】
【０００１】
本発明は、例えば石膏ボード等により形成されている天井材等の被固定材に掲示物を吊り下げるための吊下げ具に関する。
【背景技術】
【０００２】
従来、この種の吊下げ具として特許文献１に記載された構成のものがある。
特許文献１に記載された吊下げ具は、フック部、基台部、可倒部、ヒンジを有する本体、位置決め用ピン及び差込み用ピンからなる。
上記基台部は、爪部及び位置決め用ピン孔を備えており、可倒部は係合子及び差込ピン孔を備えたものである。
また、本体は位置決め用ピン孔に位置決め用ピンを差し込み、可倒部を前記ヒンジを中心として回転し、係合子を爪部に拘束係止してなるものである。
以上の構成においては、位置決め用ピンを石膏ボード製天井面の所定の位置に差し込んで、本体の取付方向を設定した後、差込ピン孔に差込み用ピンを差し込むことによって天井面に固定するようになっている。
【特許文献１】実用新案登録第３１１２１０１号公報
【発明の開示】
【発明が解決しようとする課題】
【０００３】
しかしながら、上記特許文献１に記載された吊下げ具は、位置決め用ピンが１本であるために、差込み用ピンを天井に差し込むときに本体を抑えておかないと、差込み用ピンを天井に差し込むときに本体が位置決め用ピンを中心として回動してしまうという欠点がある。
また、天井を見上げた不安定な姿勢において両手を使った上記差込み作業を余儀なくされるために、当該作業を容易に行うことができない。
【０００４】
さらに、位置決め用ピン孔に位置決め用ピンを差し込む構造になっているので、位置決め用ピン孔と位置決め用ピンとの当接部分に応力が集中し、使用を繰り返す間に位置決め用ピン孔を位置決め用ピンで無理に抉ることになり、位置決め用ピン孔の内径が拡大して位置決め用ピンを起立した姿勢に保持することが難しくなる。
さらにまた、可倒部をヒンジを中心として回転させて、係合子を爪部に拘束係止する構造にしているために強度的な不安が残る。
【０００５】
そこで本発明は、差込み用ピンを天井等の被固定材に差し込むときにも、本体をしっかりと位置決めしておけるとともに、繰り返し使用しても位置決め用ピンを起立した姿勢に維持しておくことができる吊下げ具の提供を目的としている。
【課題を解決するための手段】
【０００６】
上記目的を達成するための本発明は、天井に差し込むための差込み用ピンと、その天井に当接する当接部を形成した本体とを有し、上記天井に掲示物を吊り下げるための吊下げ具において、上記本体の当接部には、その本体を天井に位置決めするための複数本の位置決め用ピンの各基端部が互いに連結されて埋設されているとともに、上記当接部の天井との当接面に対して差込み用ピンを傾斜させ、かつ、その天井に差し込み可能に保持するピン保持部が、その当接面であって本体の重心を通る中心軸線に一致する位置に一方の開口を形成したピン保持孔として形成されており、上記差込み用ピンと位置決め用ピンとが平面視において重なり合わない位置に配設され、かつ、本体の下端部には、掲示物の荷重が当該中心軸線に一致して作用するように配した吊下げ部が一体的に形成されていることを特徴としている。
【発明の効果】
【０００７】
本発明によれば、差込み用ピンを天井等の被固定材に差し込むときにも、本体をしっかりと位置決めしておけるとともに、繰り返し使用しても位置決め用ピンを起立した姿勢に維持することができる。
【発明を実施するための最良の形態】
【０００８】
以下に、本発明を実施するための最良の形態について、図面を参照して説明する。図１は、本発明の一実施形態に係る吊下げ具を示すものであり、（Ａ）は、その正面図、（Ｂ）は、その一方の側面図、（Ｃ）は他方の側面図、（Ｄ）はＩ方向からの矢視図、（Ｅ）は、ＩＩ方向からの矢視図、また、図２は差込み用ピンの正面図である。
【０００９】
本発明の一実施形態に係る吊下げ具Ａは、例えば石膏ボードからなる天井等の被固定材Ｔに、商品名や価格等の所要の情報を掲示した掲示物Ｐを吊り下げるためのものであり、本体１０と、差込み用ピン３０とからなる。
【００１０】
本体１０はポリプロピレン等の合成樹脂により、上面１１、側面１２，１３を有する正面視上下逆向きの直角三角形の輪郭にし、かつ、所要の厚みにして一体成型されている。
【００１１】
上記の本体１０の上面１１は、被固定材Ｔに当接させる当接部としての平坦な当接面（以下、「当接面１１」という。）になっている。
本体１０は、これの一端部１０ａから他端部１０ｂに向けてやや幅狭となるように形成されており、従ってまた、当接面１１もこれの一端部１１ａから他端部１１ｂに向けて幅狭となる台形になっている。
【００１２】
当接面１１の一端部１１ａ側には、本体１０を被固定材Ｔに位置決めするための２本の位置決め用ピン２０ａ，２０ａが、当接面１１の中心軸線Ｏ２と直交する軸線О３上に互いに間隔をおいて配設されている。
本実施形態における軸線О３は、後述するピン保持部１６と一端部１１ａとを中心軸線Ｏ２に沿って略二分する位置である。
【００１３】
位置決め用ピン２０ａ，２０ａは、両端部を尖らした１本の円柱状のピン材２０を、互いに所要の間隔をおいて片仮名のコ字形に折曲形成したものであり、これらの基端部、従ってまた、連結部２０ｂを本体１０の成型と同時にインサート成型している。
【００１４】
位置決め用ピン２０ａ，２０ａを、ピン材２０を上記コ字形に折曲させて形成していることに加え、当該連結部２０ｂをインサート成形することにより機械的強度を高めることができ、繰り返し使用するときにも位置決め用ピン２０ａ，２０ａを当接面１１に垂直に起立した姿勢に維持できる。
【００１５】
上記した位置決め用ピン２０ａ，２０ａは、当接面１１の中心軸線Ｏ２と直交する軸線О２上に配設していることにより、それら位置決め用ピン２０ａ，２０ａを被固定材Ｔに差し込んで当接面１１を当接させるだけで、本体１０を被固定材Ｔにしっかりと固定することができる。
また、２本の位置決め用ピン２０ａ，２０ａを配設しているので、差込み用ピン３０を被固定材Ｔに差し込むときの本体１０の位置ずれを防止できる。
【００１６】
本体１０の下端部には、吊下げ部１４が一体的に成型されている。
吊下げ部１４は、掲示物Ｐを吊り下げるワイヤーや糸等の吊下げ部材１５を引っ掛けるための引掛け部１４ａを曲成した正面視略Ｃ字形のものであり、本実施形態においては、引掛け部１４ａに吊り下げられた掲示物Ｐの荷重が、本体１０を正面視において二分する中心軸線О１に一致して作用するように配している。
【００１７】
すなわち、引掛け部１４ａを、本体１０の重心を通る鉛直な中心軸線О１上に一致させており、これにより、掲示物Ｐの荷重が重心を通る鉛直な中心軸線О１に作用することになって安定性を向上させられる。
なお、本体１０に吊下げ部１４が一体的に成形されていることには、それらを一度に成型したものの他、互いに別に形成した本体と吊下げ部とを、例えば接着材等により一体にしたものを含む。
【００１８】
本体１０には、差込み用ピン３０を当接面１１に対して４５度の角度に傾斜させ、かつ、被固定材Ｔに差し込み可能に保持するピン保持部１６が形成されている。
ピン保持部１６は、当接面１１であって中心軸線Ｏ２に一致する位置に一方の開口１６ａを、また、側面１３の中央部分に他方の開口１６ｂを形成したピン保持孔として形成されている。
【００１９】
開口１６ｂの周囲には、この開口１６ｂを中心として、後述する差込み用ピン３０の摘み３１の一部を嵌入する円形の嵌入部１７が凹設されている。その嵌入部１７により摘み３１を嵌合支持させていることにより、被固定材Ｔに差し込んだ差込み用ピン３０をしっかりと保持できる。
【００２０】
図１に示すように、本体１０には、これの輪郭に沿って外側リブ１０ｃが形成されているとともに、側面１２側には当該外側リブ１０ｃの内側に所要の間隔をおいて内側リブ１０ｄが平行に形成されている。
【００２１】
外側リブ１０ｃと内側リブ１０ｄとの間であって側面１３と面一となる位置には、連結リブ１０ｅが形成されており、その連結リブ１０ｅと当接面１１には、使用していない差込み用ピン３０を保持するためのピン保持孔１１ｃ，１０ｆが形成されている。
本実施形態においては、上記ピン保持孔１１ｃ，１０ｆにより、使用してしない差込み用ピン３０を収容しておくためのピン収容部１８を構成している。
これにより、使用していない差込み用ピン３０を本体１０に収容しておくことができ、包装や搬送若しくは使用の際には当接面１０側に引き出し若しくは抜き出すだけで使用できるので便利である。
【００２２】
差込み用ピン３０は、摘み３１にピン部材３２の基端部を固着したものであり、そのピン部材３２の先端部は、被固定材Ｔに容易に差し込めるように尖らせている。
ピン部材３２は、摘み３１を本体１０の嵌入部１７に嵌入させたときに、被固定材Ｔに所要の長さだけ差し込まれる全長にしている。
【００２３】
以上の構成からなる一実施形態に係る吊下げ具Ａを被固定材Ｔに固定する場合について、図３〜５を参照して説明する。図３は、被固定材に吊下げ具Ａを位置決めする直前の様子を示す説明図、図４は、被固定材に吊下げ具Ａを位置決めした様子を示す説明図、図５は、被固定材に位置決めした吊下げ具Ａを介して、差込み用ピンを被固定材に差し込んだ様子を示す説明図である。
【００２４】
まず、本体１０に収容保持されている差込み用ピン３０を当接面１１側に引き抜いて、例えばピン保持部１６に途中まで差し込んでおく。
次に、被固定材Ｔの所望の位置において、本体１０を被固定材Ｔに対向させて接近させると、位置決め用ピン２０ａ，２０ａが被固定材Ｔに差し込まれ始める。
【００２５】
そして、図４に示すように、本体１０の当接面１１を被固定材Ｔに当接させると、位置決め用ピン２０ａ，２０ａが当該被固定材Ｔ内に十分に差し込まれ、本体１０を当該被固定材Ｔにしっかりと位置決めできる。
【００２６】
次に、ピン保持部１６に途中まで差し込まれている差込み用ピン３０を、摘み３１が嵌入孔１７に嵌入するまで押し込む。これにより、ピン部材３０の所要の長さ部分が被固定材Ｔに４５度の角度で差し込まれて、吊下げ具Ａを被固定材Ｔにしっかりと固定することができる。
【００２７】
その差込み用ピン３０を被固定材Ｔに差し込む際にも、本体１０は位置決め用ピン２０ａ，２０ａにより被固定材Ｔにしっかりと位置決め固定されている。従って、差込み用ピン３０を当該被固定材Ｔに差し込むときにも本体１０を抑えておく必要がなく、差込み用ピン３０を片手で容易に差し込むことができる。
【００２８】
次に、複数本の位置決め用ピンの配置例について、図６〜８を参照して説明する。図６は、２本の位置決め用ピンの他の配置例を示す説明図、図７は、３本の位置決め用ピンの一の配置例を示す説明図、図８は、３本の位置決め用ピンの他の配置例を示す説明図である。なお、上述した実施形態において説明したものと同等のものについては、それらと同一の符号を付して詳細な説明を省略する。
【００２９】
上述した実施形態においては、当接面１１の中心軸線Ｏ２と直交する軸線О３上に２本の位置決め用ピンを配設したものについて例示したが、次のように配列することができる。
図６に示す２本の位置決め用ピン２０ａ，２０ａは、当接面１１の中心軸線Ｏ２と任意の角度で交差する軸線Ｏ４上に、互いに離間して配設した構成のものである。
【００３０】
図７は、当接面１１に３本の位置決め用ピン２０ａ…を配設したものを示している。
すなわち、当接面１１の中心軸線Ｏ２と直交する軸線О５上に２本の位置決め用ピン２０ａ，２０ａを互いに離間して配設しているとともに、それら位置決め用ピン２０ａ，２０ａと正三角形の頂点をなす位置であって中心軸線Ｏ２上に位置決め用ピン２０ａを配設したものである。
【００３１】
図８は、当接面１１に３本の位置決め用ピン２０ａ…を配設した点で図７に示すものと同様であるが、その配置関係が相違している。
すなわち、差込み用ピン３０の両側であって、当接面１１の中心軸線Ｏ２と直交する軸線О６上に２本の位置決め用ピン２０ａ，２０ａを互いに離間して配設しているとともに、それら位置決め用ピン２０ａ，２０ａと正三角形の頂点をなす位置であって中心軸線Ｏ２上に位置決め用ピン２０ａを配設したものである。
上記のように位置決め用ピン２０ａの本数を増加することにより、差込み用ピン３０を当該被固定材Ｔに差し込むときに、本体１０の位置ずれをより有効に防止することができる。
【００３２】
さらに、４本以上の位置決め用ピンを配設するときには、当接面１１の中心軸線Ｏ２と直交し互いに間をおいた２本の軸線上であって、その中心軸線О２を挟む両側に互いに所要の間隔をおいて配設したマトリックス状に配列することができる。
【００３３】
なお、本発明は上述した実施形態に限るものではなく、次のような変形実施が可能である。
・両端部を尖らした１本のピン材を片仮名のコ字形に折曲形成したものに限るものでもなく、各位置決め用ピンを互いに独立して配設してもよい。
・また、上記においては、円柱状の位置決め用ピンについて例示したが、三角若しくは四角以上の角柱状であってもよい。
・上述した実施形態においては、当接面に対してピン保持部を４５度の角度にした例について説明したが、４５度を中心とした所要範囲の角度にしてもよいことは勿論である。
【図面の簡単な説明】
【００３４】
【図１】を示すものであり、（Ａ）は、その正面図、（Ｂ）は、その一方の側面図、（Ｃ）はその他方の側面図、（Ｄ）はＩ方向からの矢視図、（Ｅ）は、ＩＩ方向からの矢視図である。
【図２】本発明の一実施形態に係る吊下げ具の一部をなす差込み用ピンの正面図である。
【図３】被固定材に同上の吊下げ具を位置決めする直前の様子を示す説明図である。
【図４】被固定材に同上の吊下げ具を位置決めした様子を示す説明図である。
【図５】被固定材に位置決めした同上の吊下げ具を介して、差込み用ピンを被固定材に差し込んだ様子を示す説明図である。
【図６】２本の位置決め用ピンの他の配置例を示す説明図である。
【図７】３本の位置決め用ピンの一の配置例を示す説明図である。
【図８】３本の位置決め用ピンの他の配置例を示す説明図である。
【符号の説明】
【００３５】
１０    本体
１１    当接面
１４    吊下げ部
２０ａ  位置決め用ピン
３０    差込み用ピン
Ｐ      掲示物
Ｔ      被固定材
【図１】
0004963653.tif 000002
【図２】
0004963653.tif 000003
【図３】
0004963653.tif 000004
【図４】
0004963653.tif 000005
【図５】
0004963653.tif 000006
【図６】
0004963653.tif 000007
【図７】
0004963653.tif 000008
【図８】
0004963653.tif 000009